(57)【特許請求の範囲】
【請求項１】
挿入口および払出口を介して金庫に現金を入出金する現金処理装置であって、
前記金庫が複数の金種に対応して複数設けられており、
前記挿入口、前記払出口および前記金庫を接続する搬送経路と現金を識別する識別部とを有し当該搬送経路を介して現金を搬送する搬送手段と、
前記挿入口を介して前記搬送経路へ現金が挿入されたことを検出する挿入センサと、
前記払出口を介して前記搬送経路から現金が払い出されたことを検出する払出センサと、
前記金庫に現金が入出庫されたことを検出する入出庫センサと、
前記各センサによる検出に基づいて前記搬送経路に存在する前記金庫へ入庫しようとする現金の金種と数量および前記払出口から払い出そうとする現金の金種と数量についての情報を含む前記搬送経路上の現金に関する搬送経路上現金情報を管理するとともに、前記入出庫センサの検出をもって前記金庫へ入庫しようとする現金が入庫されたとし前記払出センサの検出をもって前記払出口から払い出そうとする現金が払い出されたとして、前記金庫に入庫された現金の金種と数量および前記払出口より払い出された現金の金種と数量についての情報を含む前記金庫の入出金に関する入出金情報を管理し、通常モードでの入出金制御を行う制御部とを具備してなり、
前記制御部は、前記通常モードとは異なる障害復旧モードにおいて前記搬送経路から取り除かれ前記挿入口に挿入された現金のうち、前記搬送経路上現金情報と前記識別部による識別とに基づいて前記金庫へ入庫しようとした現金を前記払出口及び前記金庫のいずれか一方へ搬送するとともに、前記払出口から払い出そうとした現金を前記払出口及び前記金庫のいずれか他方へ搬送することを特徴とする現金処理装置。
【請求項２】
前記制御部は、前記通常モードにおいて、
前記払出センサにより前記払出口を介して前記搬送経路から現金が払い出されたことを検出することで、前記搬送経路上現金情報に含まれる前記払出口から払い出そうとする現金の金種と数量についての情報を前記入出金情報に記憶するとともに前記搬送経路上現金情報より消去し、
前記入出庫センサにより前記金庫へ現金が入庫されたことを検出することで、前記搬送経路上現金情報に含まれる前記金庫へ入庫しようとする現金の金種と数量についての情報を前記入出金情報に記憶するとともに前記搬送経路上現金情報より消去する請求項１に記載の現金処理装置。
【請求項３】
前記搬送手段は、前記搬送経路から取り除かれ前記挿入口に挿入された現金を一時的に貯留するプールを有し、
前記制御部は、前記プールに貯留している現金と前記搬送経路上現金情報に係る現金とが一致する場合に前記プールに貯留している現金のうち前記金庫に入庫しようとした現金を前記払出口及び前記金庫のいずれか一方へ搬送し、前記払出口から払い出そうとした現金を前記払出口及び前記金庫のいずれか他方へ搬送するとともに、前記プールに貯留している現金と前記搬送経路上現金情報に係る現金と一致しない場合に現金不一致エラーとする請求項１または２に記載の現金処理装置。
【請求項４】
前記プールは、前記金庫へ入庫するための入力用プールと、前記払出口から払い出すための出力用プールとを含み、
前記制御部は、前記搬送経路から取り除かれ前記挿入口に挿入された現金のうち、前記金庫に入庫しようとした現金を前記入力用プール及び前記出力用プールのいずれか一方に貯留し、前記払出口から払い出そうとした現金を前記入力用プール及び前記出力用プールのいずれか他方に貯留する請求項３に記載の現金処理装置。
【発明の詳細な説明】
【技術分野】
【０００１】
本発明は、現金の投入に応じて発券や商品販売等の取引を行い、釣りを返却する自動発券機等に用いる現金処理装置に係り、特に現金詰まりを主因とする障害を復旧する機能を備えた現金処理装置に関する。
【背景技術】
【０００２】
自動発券機や自動販売機等の現金処理装置は、現金を収納する金庫を有し、利用者側に設けられた現金を挿入する挿入口および釣り札等の現金を返却する払出口を介して金庫に現金を入出金するものである。この現金処理装置は、挿入口、払出口及び金庫を接続する搬送経路と現金を識別する識別部と現金の位置を検出する各種センサとを有する搬送手段と、この搬送手段を通じて現金を搬送させ取引に応じた入出金制御を行う制御部とを備える構成が通例である。
【０００３】
このような従来の現金処理装置は、現金を搬送する過程で現金が詰まる障害が発生することがあり、この障害が発生すると、障害復旧作業者が詰まった現金を手動で取り除いたうえで、取引をやり直す場合には回収した現金を利用者（外部）や金庫等の適切な場所に戻し、取引を進める場合には未払い金を利用者に支払う等の障害復旧作業が必要になる。この復旧作業に関連して特許文献１には、障害復旧作業者（係員）が詰まった現金を取り除いて適切な場所へ戻す取り扱いを行ったうえで、未払い金の支払いを自動的に行う現金処理装置が開示されている。
【先行技術文献】
【特許文献】
【０００４】
【特許文献１】特開平９−２３７３６９号公報
【発明の概要】
【発明が解決しようとする課題】
【０００５】
上記障害発生時の搬送経路上には、金庫に入庫しようとした現金および外部へ払い出されようとした現金のように、金庫の残高を管理するための入出庫情報に金庫内現金であるとして記憶されている現金（内金）と記憶されていない現金（外金）とが混在しており、障害復旧作業者は、装置が表示する搬送経路上の現金情報や現金が詰まっていた位置等から総合的に判断して、入出庫情報とのつじつまが合うように回収した現金を取り扱っている。
【０００６】
しかしながら、従来の現金処理装置では、障害復旧作業者が入出庫情報とのつじつまが合うように回収した現金を取り扱い、さらにその後における取引自体の復旧も行うので、回収した現金を利用者（外部）及び金庫のいずれに戻せばよいか混乱しやすく、復旧作業が複雑化して作業者に負荷が掛かり、回収した現金の取り扱いを誤ることや搬送経路上に現金を取り残すこと等の作業ミスを生じることがある。
【０００７】
また、障害復旧時に搬送経路上から回収した現金を人手で取り扱うため、この回収した現金の取り扱いを記録することが困難であり、適切な金庫管理を妨げる要因となっていた。
【０００８】
本発明は、このような課題に着目してなされたものであって、その目的は、回収した現金の取り扱いを平易化して復旧作業ミスを防止するとともに、障害復旧時における金庫の入出金に関する情報を容易に記録することを可能として適切な金庫管理に資する現金処理装置を提供することである。
【課題を解決するための手段】
【０００９】
本発明は、かかる目的を達成するために、次のような手段を講じたものである。
【００１０】
すなわち、本発明に係る現金処理装置は、挿入口および払出口を介して金庫に現金を入出金する現金処理装置であって、前記金庫が複数の金種に対応して複数設けられており、前記挿入口、前記払出口および前記金庫を接続する搬送経路と現金を識別する識別部とを有し当該搬送経路を介して現金を搬送する搬送手段と、前記挿入口を介して前記搬送経路へ現金が挿入されたことを検出する挿入センサと、前記払出口を介して前記搬送経路から現金が払い出されたことを検出する払出センサと、前記金庫に現金が入出庫されたことを検出する入出庫センサと、前記各センサによる検出に基づいて前記搬送経路に存在する前記金庫へ入庫しようとする現金の金種と数量および前記払出口から払い出そうとする現金の金種と数量についての情報を含む前記搬送経路上の現金に関する搬送経路上現金情報を管理するとともに、前記入出庫センサの検出をもって前記金庫へ入庫しようとする現金が入庫されたとし前記払出センサの検出をもって前記払出口から払い出そうとする現金が払い出されたとして、前記金庫に入庫された現金の金種と数量および前記払出口より払い出された現金の金種と数量についての情報を含む前記金庫の入出金に関する入出金情報を管理し、通常モードでの入出金制御を行う制御部とを具備してなり、前記制御部は、前記通常モードとは異なる障害復旧モードにおいて前記搬送経路から取り除かれ前記挿入口に挿入された現金のうち、前記搬送経路上現金情報と前記識別部による識別とに基づいて前記金庫へ入庫しようとした現金を前記払出口及び前記金庫のいずれか一方へ搬送するとともに、前記払出口から払い出そうとした現金を前記払出口及び前記金庫のいずれか他方へ搬送することを特徴とする。
【００１１】
従来では、障害復旧時に作業者が搬送経路に残った現金を取り除き、回収した現金を外部へ払い出したり、金庫へ入庫したりする回収現金の取り扱いを搬送経路上現金情報に基づいて手作業で行っていたので、作業者が行う復旧作業が複雑化し、それに伴って作業ミスが生じるおそれがあるうえ、障害復旧時における金庫の入出金に関する情報を記録することが難しいものであるが、本発明では、障害復旧時に作業者が搬送経路に残った現金を取り除いて回収した現金を挿入口に投入するという簡単な行為だけで、取引をやり直す及び取引を進めるいずれの場合でも入出庫情報とのつじつまが合うように外部への払い出し及び金庫への入庫が自動的になされ、復旧作業ミスを防止して復旧作業を平易化できるとともに、障害復旧時における金庫の入出金に関する情報を容易に記録することが可能になり、適切な金庫管理に資することができる。
【００１２】
さらに、作業者が現金を金庫へ入庫する作業を省くことができるため、作業者を金庫へアクセスできないようにすることにより、作業者による金庫に対する不正行為を防止することができる。
【００１３】
そして、前記制御部は、前記通常モードにおいて、前記払出センサにより前記払出口を介して前記搬送経路から現金が払い出されたことを検出することで、前記搬送経路上現金情報に含まれる前記払出口から払い出そうとする現金の金種と数量についての情報を前記入出金情報に記憶するとともに前記搬送経路上現金情報より消去し、前記入出庫センサにより前記金庫へ現金が入庫されたことを検出することで、前記搬送経路上現金情報に含まれる前記金庫へ入庫しようとする現金の金種と数量についての情報を前記入出金情報に記憶するとともに前記搬送経路上現金情報より消去するように構成することがより好適である。
【００１４】
搬送経路からの現金の取り忘れや、搬送経路から取り除かれた現金が作業者に着服されること等の回収した現金の不適切な取り扱いを防止するためには、前記搬送手段は、前記搬送経路から取り除かれ前記挿入口に挿入された現金を一時的に貯留するプールを有し、前記制御部は、前記プールに貯留している現金と前記搬送経路上現金情報に係る現金とが一致する場合に前記プールに貯留している現金のうち前記金庫に入庫しようとした現金を前記払出口及び前記金庫のいずれか一方へ搬送し、前記払出口から払い出そうとした現金を前記払出口及び前記金庫のいずれか他方へ搬送するとともに、前記プールに貯留している現金と前記搬送経路上現金情報に係る現金と一致しない場合に現金不一致エラーとすることが好ましい。
【００１５】
迅速な払い出し処理および入庫処理に資するためには、前記プールは、前記金庫へ入庫するための入力用プールと、前記払出口から払い出すための出力用プールとを含み、前記制御部は、前記搬送経路から取り除かれ前記挿入口に挿入された現金のうち、前記金庫に入庫しようとした現金を前記入力用プール及び前記出力用プールのいずれか一方に貯留し、前記払出口から払い出そうとした現金を前記入力用プール及び前記出力用プールのいずれか他方に貯留することが望ましい。
【発明の効果】
【００１６】
本発明は、以上説明した構成であるから、障害復旧作業者が搬送経路から回収した現金を挿入口に投入するという簡単な行為を行うだけで、入出庫情報とのつじつまが合うように外部への払い出し及び金庫への入庫が自動的になされ、復旧作業ミスを防止して復旧作業を平易化できるとともに、障害復旧時における金庫の入出金に関する情報を容易に記録することが可能になり、適切な金庫管理に資することが可能となる。
【図面の簡単な説明】
【００１７】
【図１】本発明の一実施形態に係る現金処理装置を示す概略全体構成図。
【図２】一部の金庫を抜き取った状態を示す図１に対応した図。
【図３】同実施形態における搬送手段および制御部の構成および機能の概略を示すブロック図。
【図４】同実施形態において通常モードでの入出金制御の動作を示す模式図。
【図５】同実施形態において通常モードでの入出金制御の動作を示す模式図。
【図６】同実施形態において通常モードでの入出金制御の動作を示す模式図。
【図７】同実施形態において通常モードでの入出金制御の動作を示す模式図。
【図８】同実施形態において障害復旧時に行う障害復旧制御の動作を示す模式図。
【図９】同実施形態において障害復旧時に行う障害復旧制御の動作を示す模式図。
【図１０】同実施形態において障害復旧時に行う障害復旧制御の動作を示す模式図。
【図１１】同実施形態において障害復旧時に行う障害復旧制御の動作を示す模式図。
【図１２】同実施形態において障害復旧時に制御部で実行する障害復旧制御処理ルーチンを示すフローチャート。
【発明を実施するための形態】
【００１８】
以下、本発明の一実施形態に係る現金処理装置を、図面を参照して説明する。なお、現金は紙幣と硬貨とを含むが、本実施形態では紙幣を取り扱う紙幣ブロックとしての現金処理装置を例に挙げて説明する。
【００１９】
図１に示す本実施形態の現金処理装置は、例えば乗車券やカード、精算切符等の券売を行う自動発券機として用いられるもので、紙幣ブロック１と、この紙幣ブロック１にセットされて紙幣の収納場所となる４つの金庫Ａ〜Ｄと、外部から投入される紙幣の金種を識別部２２で識別して金庫Ａ〜Ｄのうち対応する金庫に搬送経路２１を介して搬送する搬送手段２とを備えている。
【００２０】
紙幣ブロック１は、この現金処理装置を利用する利用者に近い側に挿入口１１、出金口１３、返却口１４（以下、出金口１３及び返却口１４を合わせて払出口１２ともいう）を設けたもので、同じく利用者に近い側に固定式の金庫Ｄを内設し、係員が操作を行う側に３つのカセット式の金庫Ａ〜Ｃを設けている。また、紙幣ブロック１には、金庫Ａ〜Ｃに対応して設けられこれら金庫Ａ〜Ｃへ紙幣を収納する前に一時的に保留する一次保留部ａ１〜ｃ１、搬送経路２１上の紙幣を一時的に保留する一時保留部Ｅや出金保留部Ｆ、読み取り不能、重送発生、異常検知時の不良券を回収する不良券回収部Ｇ等も設けられている。これら出金保留部Ｆおよび一次保留部ａ１〜ｃ１は本発明のプールを構成し、一次保留部ａ１〜ｃ１が本発明の入力用プールに該当し、出金保留部Ｆが本発明の出力用プールに該当するものである。勿論その他の組み合わせも可能である。
【００２１】
カセット式の金庫Ａ〜Ｃは、図２に例示するように把手ｈを把持して紙幣ブロック１から引き出すことが可能にされている。これら金庫Ａ〜Ｃと紙幣ブロック１との間には、必要に応じて電磁力等を利用して金庫Ａ〜Ｃを引き出し禁止状態にする図示しないロック機構が設けてあり、また、紙幣ブロック１又は金庫Ａ〜Ｃには、引き出し禁止状態か否かを表示して係員に了知させる図示しないＬＥＤ表示部が設けてある。
【００２２】
この実施形態では、図３に示すように、金庫Ａを第一金種たる一万円札を格納する第一金種金庫Ａとし、金庫Ｂを第二金種たる五千円札を格納する第二金種金庫Ｂとし、金庫Ｃを第三金種たる千円札を格納する第三金種金庫Ｃとし、金庫Ｄを第四金種たる二千円札を格納する第四金種金庫Ｄとして、金庫Ａ〜Ｄを四金種循環金庫として設定している。
【００２３】
図３に示すように、現金処理装置は、搬送手段２とこれを制御する制御部３とを含んで構成されている。搬送手段２は、周知の現金処理装置と同様に、図示しない挾持ローラ、搬送ベルト、ウィング等の方向変換部などから構成される搬送経路２１と、搬送される現金たる紙幣の金種および真性（偽造か否か）を識別する識別部２２と、紙幣の金種識別のみを行い紙幣の真性までは識別しない簡易識別部２０と、挿入口１１及び識別部２２の間に設けられ挿入口１１を介して搬送経路２１へ紙幣が挿入されたことを検出する挿入センサ２３と、払出口１２及び出金保留部Ｆの間に設けられ払出口１２を介して搬送経路２１から紙幣が払い出されたことを検出する払出センサ２４と、金庫Ａ〜Ｃの出入口に設けられ金庫Ａ〜Ｃに紙幣が入出庫されたことを検出する入出庫センサ２５とを有している。
【００２４】
制御部３は、識別部２２或いは簡易識別部２０の識別結果等に基づいて搬送手段２を制御するものであり、挿入口１１から投入された紙幣を識別部２２に通過させた後、搬送経路２１に沿って流通させ、随所に設けた分岐部２６ａ〜２６ｇで必要に応じて紙幣を方向変換して、第一金種金庫Ａ、第二金種金庫Ｂ、第三金種金庫Ｃ、固定金庫Ｄ、一時保留部Ｅ、出金保留部Ｆ、払出口１２、不良券回収部Ｇ等へ搬送する動作を行うとともに、金庫Ａ〜Ｄ等から搬送経路２１上への紙幣の繰り出し動作、簡易識別部２０における金種識別、更には次なる搬送先である出金口１３や金庫Ａ〜Ｄへの搬送動作などを含む統括的な搬送制御を行うように構成されている。
【００２５】
この紙幣の搬送制御に対して、さらに制御部３は、挿入センサ２３、払出センサ２４及び入出庫センサ２５の検出結果に基づいて搬送経路２１で搬送中の紙幣に関する搬送経路上現金情報を管理するとともに、金庫Ａ〜Ｄの入出金に関する入出金情報（例えば金庫残高など）を管理している。搬送経路上現金情報は、例えば紙幣ブロック１から払出口１２を介して外部に紙幣が払い出されたときに金庫から出金したとし、金庫Ａ〜Ｃに紙幣が入庫したときに金庫に入金したというように、実際の金庫への入出庫時ではなく、現実の取引に即した形態で金庫の入出金情報を管理するために用いる情報であるとともに、紙幣詰まり等の障害発生時の復旧作業に用いる情報である。
【００２６】
ここで、入出金情報において金庫内の現金であるとしている現金を「内金」といい、金庫外の現金であるとしている現金を「外金」という。本実施形態では、搬送経路２１から金庫Ａ〜Ｄへ入庫したことをもって「外金」が「内金」となり、搬送経路２１から払出口１２を通じて外部に払い出されたことをもって「内金」が「外金」となる取り扱いをしているが、「内金」と「外金」との取り扱いを切り替えるタイミングはこれに限定されるものではない。
【００２７】
上記で述べた搬送制御、入出金情報および搬送経路上現金情報の管理を行う具体的な制御部３は、図３に示すように、入出金制御部３１と、前記入出金情報を記憶する金庫入出金情報記憶部３２と、前記搬送経路上現金情報を記憶する搬送経路上情報記憶部３３と、搬送制御部３４と、障害発生判定部３５と、障害復旧制御部３６と、障害復旧時挿入現金情報記憶部３７とを含んで構成されている。
【００２８】
金庫入出金情報記憶部３２は、金庫Ａ〜Ｄ毎にその入出金に関する入出金情報を記憶するものであり、１つの取引毎に金種及び枚数（数量）についての情報を含めて入金額並びに出金額を記憶する。
【００２９】
搬送経路上情報記憶部３３は、搬送経路２１上を搬送中の紙幣に関する情報を記憶するものであり、入庫しようとする紙幣と払い出そうとする紙幣とを金種及び枚数（数量）についての情報を含めて記憶している。
【００３０】
入出金制御部３１は、利用者が操作する図示しない操作部、搬送手段２や各種センサからの信号に基づいて通常時である通常モードでの入出金に関する総括的な制御を行うものであり、金庫入出金情報記憶部３２に記憶される入出金情報や搬送経路上情報記憶部３３に記憶される搬送経路上現金情報の管理、取引に応じた紙幣の搬送指令を搬送制御部３４に対して行う。
【００３１】
搬送制御部３４は、入出金制御部３１及び後述する障害復旧制御部３６からの紙幣の搬送指令に基づいて搬送手段２を駆動制御し、紙幣の搬送を行う。
【００３２】
障害発生判定部３５は、搬送手段２に設けられた図示しない各種センサからの入力に応じて紙幣詰まり等の障害が発生しているか否かを判定し、その判定結果を入出金制御部３１及び障害復旧制御部３６へ伝達する。障害発生していないと判定された場合には障害復旧制御部３６が作動せずに入出金制御部３１が通常モードでの入出金制御を行い、障害発生したと判定された場合には障害復旧制御部３６が障害復旧モードとして作動し、入出金制御部３１が障害復旧制御部３６の支配下で付随して作動する。
【００３３】
障害復旧制御部３６は、障害発生した際の障害復旧時に現金処理装置の制御を行うものであり、搬送経路２１から取り除かれ回収された紙幣を挿入口１１から取り込み、取り込んだ紙幣を識別して、識別した紙幣に関する挿入現金情報を障害復旧時挿入現金情報記憶部３７に記憶し、上記搬送経路上情報記憶部３３の搬送経路上現金情報と合わせて後述する復旧制御を行うものである。
【００３４】
このような制御部３を実現する具体的な構成は、ＣＰＵ、メモリ及びインターフェイスを有する通常のマイクロコンピュータユニットにより構成され、メモリには図示しない搬送制御処理ルーチンや障害発生判定処理ルーチンや入出金制御処理ルーチン、後述する障害復旧制御処理ルーチン（図１２参照）が格納してあり、ＣＰＵが適宜必要なプログラムを呼び出して実行することにより、上記の入出金制御部３１、障害復旧制御部３６、搬送制御部３４および障害発生判定部３５が実現される。これらの詳細な制御、例えば制御部３は、紙幣を各金庫Ａ〜Ｃに収納する前に一時的に一旦これらの一次保留部ａ１、ｂ１、ｃ１に保留し、その後、搬送経路２１上に一旦繰り出した後に金庫Ａ〜Ｃに収納する制御を行うが、本実施形態においてこれらの具体的な構成や制御については省略している。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００３５】
次に、通常モードでの入出金制御について図４〜図７を参照しつつ説明する。ここでは、一万円札１枚預かりお釣りが七千円（五千円札１枚、千円札２枚）を返却する入出金制御を例に挙げて説明する。
【００３６】
まず、図４（ａ）に示すように、挿入口１１を介して第一金種たる一万円札Ｍｏ１が搬送経路２１に挿入されると、挿入センサ２３及び識別部２２がこれを検出ないし識別し、搬送経路上情報記憶部３３の搬送経路上現金情報に、入庫中である現金は一万円札で１枚であると記憶する。また、挿入された一万円札Ｍｏ１を、これを格納する第一金種金庫Ａに対応した一万円用一次保留部ａ１に搬送経路２１を介して搬送する。この際、第一金種金庫Ａに一万円札Ｍｏ１は入庫されていないため金庫入出金情報記憶部３２には記憶されない。
【００３７】
次に、図５（ｂ）に示すように、三千円分の購入対象品を購入する取引が行われて七千円（五千円札１枚、千円札２枚）の払い出しが指令されると、第二金種たる五千円札Ｍｏ２がこれを格納する第二金種金庫Ｂから搬送経路２１へ出庫され、第二金種金庫Ｂの出口に設けられた入出庫センサ２５ｂがこれを検出して搬送経路上情報記憶部３３の搬送経路上現金情報に、払出中である現金は五千円札で１枚であると記憶する。また、第二金種金庫Ｂから出された五千円札Ｍｏ２を、出金保留部Ｆに搬送経路２１を介して搬送する。この際、五千円札Ｍｏ２は払出口１２から払い出されていないため金庫入出金情報記憶部３２には記憶されない。
【００３８】
次に、図６（ｃ）に示すように、上記五千円札Ｍｏ２と同様に、第三金種たる千円札Ｍｏ３がこれを格納する第三金種金庫Ｃから搬送経路２１へ出庫され、第三金種金庫Ｃの出口に設けられた入出庫センサ２５ｃがこれを検出して搬送経路上情報記憶部３３の搬送経路上現金情報に、払出中である現金は千円札で１枚であると記憶する。また、第三金種金庫Ｃから出された千円札Ｍｏ３を、出金保留部Ｆに搬送経路２１を介して搬送する。この際、千円札Ｍｏ３は払出口１２から払い出されていないため金庫入出金情報記憶部３２には記憶されない。もう一枚の千円札Ｍｏ３についても同様の処理を行う。
【００３９】
最後に、図７（ｄ）に示すように、出金保留部Ｆに保留されている１枚の五千円札Ｍｏ２及び２枚の千円札Ｍｏ３が払出口１２を介して外部に払い出されると、これを払出センサ２４が検出して、搬送経路上情報記憶部３３の搬送経路上現金情報に記憶されている払出中である現金が払い出されたとして、搬送経路上現金情報に含まれる払い出そうとする現金の金種と数量についての情報を金庫入出金情報記憶部３２に記憶するとともに、この金種と数量についての情報に関する搬送経路上情報記憶部３３の記憶が消去される。同様に、一万円用一次保留部ａ１に保留されている１枚の一万円札Ｍｏ１が第一金種金庫Ａに入庫されると、第一金種金庫Ａの入口に設けられた入出庫センサ２５ａがこれを検出して、搬送経路上情報記憶部３３の搬送経路上現金情報に記憶されている入庫中である現金が入庫したとして、搬送経路上現金情報に含まれる入庫しようとする現金の金種と数量についての情報を金庫入出金情報記憶部３２に記憶するとともに、この金種と数量についての情報に関する搬送経路上情報記憶部３３の記憶が消去される。
【００４０】
次に、通常モードにおいて紙幣が詰まる等の障害が発生した障害復旧時に行う障害復旧制御について図８〜図１２を参照して説明する。この障害復旧制御は、図１２に示す障害復旧制御処理ルーチンを実行することにより実現されるものである。
【００４１】
ここでは、図８（ａ）に示すように、上記の図６（ｃ）に示す時点で二枚目の千円札Ｍｏ３が搬送経路２１で詰まった場合を例に挙げて説明する。この例の障害発生時には、出金保留部Ｆに１枚の五千円札Ｍｏ２と１枚の千円札Ｍｏ３が保留され、一万円用一次保留部ａ１に１枚の一万円札Ｍｏ１が保留され、搬送経路２１に１枚の千円札Ｍｏ３が詰まった状態で存在し、搬送経路上情報記憶部３３における搬送経路上現金情報には入庫中である現金は一万円札で１枚であり、払出中である現金は１枚の五千円札と２枚の千円札であることが記憶されている。
【００４２】
まず、図９（ｂ）に示すように、障害復旧作業者たる係員が出金保留部Ｆと一万円用一次保留部ａ１と搬送経路２１に存在する現金を回収し、これらを挿入口１１に一括で挿入すると、挿入された現金が順番に処理される（図１２の処理Ａ２参照）。ここではまず一万円札Ｍｏ１が挿入センサ２３及び識別部２２で検出ないし識別され、搬送経路上情報記憶部３３における搬送経路上現金情報に係る現金と合致するか否かが判定される（図１２の処理Ａ３参照）。搬送経路上現金情報において一万円札Ｍｏ１は入庫中である現金として記憶されているので、出力（返却）すべき現金として出力用プールである出金保留部Ｆに搬送される（図１２の処理Ａ４参照）。また、障害復旧時挿入現金情報記憶部３７に記憶される障害復旧時に挿入口１１へ挿入された現金に関する挿入現金情報に、出力すべき現金は１枚の一万円札Ｍｏ１であると記憶する（図１２の処理Ａ５参照）。
【００４３】
次に、図１０（ｃ）に示すように、挿入された現金のうち残りの現金である１枚の五千円札Ｍｏ２と２枚の千円札Ｍｏ３とが挿入センサ２３及び識別部２２で検出ないし識別され、搬送経路上情報記憶部３３における搬送経路上現金情報に係る現金と合致するか否かが判定される（図１２の処理Ａ３参照）。搬送経路上現金情報において１枚の五千円札Ｍｏ２と２枚の千円札Ｍｏ３は払出中である現金として記憶されているので、入力（入庫）すべき現金として入力用プールである五千円用一時保留部ｂ１及び千円用一時保留部ｃ１に搬送される（図１２の処理Ａ４参照）。また、障害復旧時挿入現金情報記憶部３７に記憶される障害復旧時に挿入口１１に挿入された現金に関する挿入現金情報に、入力すべき現金は１枚の五千円札Ｍｏ２と２枚の千円札Ｍｏ３であると記憶する（図１２の処理Ａ５参照）。
【００４４】
次に、図１１（ｄ）に示すように、搬送経路上情報記憶部３３の搬送経路上現金情報に係る現金と障害復旧時挿入現金情報記憶部３７の挿入現金情報に係る現金とが一致するか否かが判定される（図１２の処理Ａ７参照）。具体的には、搬送経路上現金情報に係る入庫中である現金と、挿入現金情報に係る出力すべき現金とが金種及び数量において一致し、且つ、搬送経路上現金情報に係る払出中である現金と、挿入現金情報に係る入力すべき現金とが金種及び数量において一致する場合に、両情報に係る現金が一致すると判定する。一致しない場合は、表示部や音出力部を介して外部に現金不一致エラーであることを報知する（図１２の処理Ａ９参照）。一致する場合は、図１１（ｄ）に示すように、出力用プールである出金保留部Ｆに貯留している現金を払出口１２から払い出し、入力用プールである五千円用一時保留部ｂ１にある五千円札Ｍｏ２を第二金種金庫Ｂへ入庫し、入力用プールである千円用一時保留部ｃ１にある千円札Ｍｏ３を第三金種金庫Ｃへ入庫する（図１２の処理Ａ８参照）。
【００４５】
以上のように、本実施形態に係る現金処理装置は、挿入口１１および払出口１２（出金口１３及び返却口１４を含む）を介して金庫Ａ〜Ｃに現金を入出金する現金処理装置であって、挿入口１１、払出口１２および金庫Ａ〜Ｃを接続する搬送経路２１と現金を識別する識別部２２とを有し搬送経路２１を介して現金を搬送する搬送手段２と、挿入口１１を介して搬送経路２１へ現金が挿入されたことを検出する挿入センサ２３と、払出口１２を介して搬送経路２１から現金が払い出されたことを検出する払出センサ２４と、金庫Ａ〜Ｃに現金が入出庫されたことを検出する入出庫センサ２５と、各センサ（挿入センサ２３、払出センサ２４、入出庫センサ２５）による検出に基づいて搬送経路２１に存在する金庫Ａ〜Ｃへ入庫しようとする現金および払出口１２から払い出そうとする現金に関する搬送経路上現金情報を管理するとともに、入出庫センサ２５の検出をもって金庫Ａ〜Ｃへ入庫しようとする現金が入庫されたとし払出センサ２４の検出をもって払出口１２から払い出そうとする現金が払い出されたとして金庫Ａ〜Ｃの入出金に関する入出金情報を管理し、通常モードでの入出金制御を行う制御部３とを具備してなり、制御部３は、通常モードとは異なる障害復旧モードにおいて搬送経路２１から取り除かれ挿入口１１に挿入された現金のうち、搬送経路上現金情報と識別部による識別とに基づいて金庫Ａ〜Ｃへ入庫しようとした現金を払出口１２及び金庫Ａ〜Ｃのいずれか一方へ搬送するとともに、払出口１２から払い出そうとした現金を払出口１２及び金庫Ａ〜Ｃのいずれか他方へ搬送することを特徴とする。
【００４６】
従来では、障害復旧時に作業者が搬送経路２１に残った現金を取り除き、回収した現金を外部へ払い出したり、金庫Ａ〜Ｃへ入庫したりする回収現金の取り扱いを搬送経路上現金情報に基づいて手作業で行っていたので、作業者が行う復旧作業が複雑化し、それに伴って作業ミスが生じるおそれがあるうえ、障害復旧時における金庫の入出金に関する情報を記録することが難しいものであるが、本実施形態では、障害復旧時に作業者が搬送経路２１に残った現金を取り除いて回収した現金を挿入口１１に投入するという簡単な行為だけで、取引をやり直す及び取引を進めるいずれの場合でも入出庫情報とのつじつまが合うように外部への払い出し及び金庫への入庫が自動的になされ、復旧作業ミスを防止して復旧作業を平易化できるとともに、障害復旧時における金庫の入出金に関する情報を容易に記録することが可能になり、適切な金庫管理に資することができる。
【００４７】
さらに、作業者が現金を金庫へ入庫する作業を省くことができるため、作業者を金庫へアクセスできないようにすることにより、作業者による金庫に対する不正行為を防止することができる。
【００４８】
特に、搬送手段２は、搬送経路２１から取り除かれ挿入口１１に挿入された現金を一時的に貯留するプール（出金保留部Ｆ、一次保留部ａ１、ｂ１、ｃ１）を有し、制御部３は、プールに貯留している現金と搬送経路上現金情報に係る現金とが一致する場合にプールに貯留している現金のうち金庫Ａ〜Ｃに入庫しようとした現金を払出口１２及び金庫Ａ〜Ｃのいずれか一方へ搬送し、払出口１２から払い出そうとした現金を払出口１２及び金庫Ａ〜Ｃのいずれか他方へ搬送するとともに、プールに貯留している現金と搬送経路上現金情報に係る現金と一致しない場合、すなわち回収した現金が不足する場合に現金不一致エラーとするので、搬送経路２１からの現金の取り忘れや、搬送経路２１から取り除かれた現金が作業者に着服されること等の回収した現金の不適切な取り扱いを防止することが可能となる。
【００４９】
さらにプールは、金庫Ａ〜Ｃへ入庫するための入力用プール（一次保留部ａ１、ｂ１、ｃ１）と、払出口１２から払い出すための出力用プール（出金保留部Ｆ）とを含み、制御部３は、搬送経路２１から取り除かれ挿入口１１に挿入された現金のうち、金庫Ａ〜Ｃに入庫しようとした現金を入力用プール及び出力用プールのいずれか一方に貯留し、払出口１２から払い出そうとした現金を入力用プール及び出力用プールのいずれか他方に貯留するので、両プールへ現金を搬送する過程で現金の最終搬送先を分ける処理を併せて実施し、迅速な払い出し処理および入庫処理が可能になる。
【００５０】
さらに、金庫Ａ〜Ｃは、複数の金種に対応して複数設けられており、入力用プール（一次保留部ａ１、ｂ１、ｃ１）は、金庫毎に対応して複数設けられているので、複数金種を取り扱う場合であっても迅速な入庫処理が可能になる。
【００５１】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５２】
例えば、本実施形態では、障害復旧作業者が詰まった現金を手動で取り除いた後で取引をやり直す場合の復旧作業に対応するために、制御部３を、障害復旧モードにおいて搬送経路２１から取り除かれ挿入口１１に挿入された現金のうち、搬送経路上現金情報と識別部２２による識別とに基づいて金庫Ａ〜Ｃへ入庫しようとした現金を払出口１２から払い出すとともに、払出口１２から払い出そうとした現金を金庫Ａ〜Ｃへ入庫するように構成しているが、障害復旧作業者が詰まった現金を手動で取り除いた後で取引を進める場合の復旧作業に対応するために、制御部３を、障害復旧モードにおいて搬送経路２１から取り除かれ挿入口１１に挿入された現金のうち、搬送経路上現金情報と識別部２２とに基づいて金庫Ａ〜Ｃへ入庫しようとした現金を金庫Ａ〜Ｃへ入庫するとともに、払出口１２から払い出そうとした現金を払出口１２から払い出すように構成してもよい。
【００５３】
また、本実施形態では、取引をやり直す復旧作業に対応するため、制御部３は、搬送経路２１から取り除かれ挿入口１１に挿入された現金のうち、金庫Ａ〜Ｃに入庫しようとした現金を出金保留部Ｆ（出力用プール）に貯留し、払出口１２から払い出そうとした現金を一次保留部ａ１〜ｃ１（入力用プール）に貯留しているが、取引を進める復旧作業に対応する場合に本発明を適用するには、この逆すなわち、制御部３は、搬送経路２１から取り除かれ挿入口１１に挿入された現金のうち、金庫Ａ〜Ｃに入庫しようとした現金を一次保留部ａ１〜ｃ１（入力用プール）に貯留し、払出口１２から払い出そうとした現金を出金保留部Ｆ（出力用プール）に貯留すればよい。
【００５４】
また、本実施形態では、金庫Ａ〜Ｄを四金種循環金庫としているが、金庫Ａ〜Ｄに格納する金種は本実施形態のものに限定されるものでなく、どの金種を格納することも可能である。また、固定式の金庫Ｄを二千円札と五千円札を格納する混合金庫とし、金庫Ａに千円札、金庫Ｂに一万円札を格納する循環金庫とし、金庫Ｃを多用途に利用可能な自在金庫に設定して、現金の補給及び回収を目的として現金処理装置を停止させることなく運用する、いわゆる無停止補給、無停止回収を実現した金庫設定も可能である。このような様々な金庫の設定に対しても本発明を適用することが可能である。
【００５５】
また、本実施形態では、現金としての紙幣を取り扱う紙幣ブロックとしての現金処理装置を例に挙げて説明したが、硬貨を取り扱う硬貨ブロックにも本発明を適用することが可能である。
【００５６】
また、各部の具体的な構成は、上述した実施形態のみに限定されるものではなく、本発明の趣旨を逸脱しない範囲で種々変形が可能である。
【符号の説明】
【００５７】
１………紙幣ブロック
１１……挿入口
１２……払出口
Ａ〜Ｃ…金庫
２………搬送手段
２１……搬送経路
２２……識別部
２３……挿入センサ
２４……払出センサ
２５……入出庫センサ
３３……搬送経路上情報記憶部
３１……入出金制御部
３２……金庫入出金情報記憶部
Ｆ………出金保留部（出力用プール、プール）
ａ１、ｂ１、ｃ１…一次保留部（入力用プール、プール）
【図１】
0005604829.tif 000002
【図２】
0005604829.tif 000003
【図３】
0005604829.tif 000004
【図４】
0005604829.tif 000005
【図５】
0005604829.tif 000006
【図６】
0005604829.tif 000007
【図７】
0005604829.tif 000008
【図８】
0005604829.tif 000009
【図９】
0005604829.tif 000010
【図１０】
0005604829.tif 000011
【図１１】
0005604829.tif 000012
【図１２】
0005604829.tif 000013